(57)【特許請求の範囲】
【請求項１】
合成樹脂製材料からなる本体フレームと、この本体フレームの一側面側に設けられた支軸部と、この支軸部に回動可能に支持されるホルダーと、このホルダーに取り付けられ、液面の変位に追従作動するフロートを備えたフロートアームと、前記ホルダーに配設され、前記フロートの作動に伴い回動するリング状のマグネットと、このマグネットの回動に伴い磁気の変化を検出する検出素子と、この検出素子から引き回し形成された回路基板と、この回路基板から外部側へと電気的に引き出し形成可能に設けられた通電用端子とを備えた液面検出装置であって、前記ホルダーを軸支する前記本体フレームに設けられた前記支軸部には、径小な第１の支軸部と、この第１の支軸部と同軸上にして径大な第２の支軸部とを設けるとともに、前記支軸部の一部に前記本体フレームの他側面側から凹みからなる中空状の空間部を形成し、この空間部内に前記検出素子を配設するとともに、前記回路基板を前記本体フレームの他側面側に沿って配設し、かつ前記回路基板と前記マグネットとを取り巻くように磁気シールド部材を前記本体フレームの他側面側から本体フレーム側に固定保持してなることを特徴とする液面検出装置。
【請求項２】
前記磁気シールド部材をカップ状に形成するとともに、この磁気シールド部材によって前記回路基板と前記マグネットの底部と外周面とを覆ってなることを特徴とする請求項１に記載の液面検出装置。
【請求項３】
前記磁気シールド部材と本体フレーム側との間にＯリングを配設してなることを特徴とする請求項１または請求項２に記載の液面検出装置。
【請求項４】
前記ホルダーには、前記本体フレームに設けられた前記径小な第１の支軸部の外周面に支持される第１のラジアル受け部と、前記本体フレームに設けられた前記径大な第２の支軸部の外周面に支持される第２のラジアル受け部と、前記第１の支軸部の先端部に突き当て配設されてホルダーのスラスト方向への移動が規制されるスラスト受け部とを設けてなることを特徴とする請求項１に記載の液面検出装置。
【請求項５】
前記本体フレーム側には、前記ホルダーを保持するカバーを配設してなることを特徴とする請求項１または請求項４に記載の液面検出装置。
【請求項６】
前記本体フレームの第１の支軸部の先端には、前記ホルダーを抜け止め保持する係止部材を設けてなることを特徴とする請求項１または請求項４に記載の液面検出装置。
【発明の詳細な説明】
【技術分野】
【０００１】
本発明は、貯蔵タンクに貯留した各種液体の液量を検出する液面検出装置に関するもので、特に非接触式の液面検出装置の改良構造に関するものである。
【背景技術】
【０００２】
従来、たとえば車両などの乗り物の燃料タンク内の液面（液量）を検出する液面検出装置としては、燃料の残量に応じて上下に追従作動するフロートにフロートアームを取り付け、このフロートアームの動きに連動する摺動接点で抵抗体に接続された固定接点上を摺動することで、フロートの位置（燃料の液面）を電気抵抗値に変換して検出するものが知られている。
【０００３】
ところで、前述した液面検出装置は、摺動接点と固定接点の電気的な接触を伴うため、燃料が導電性の液体である場合には、使用することができなかった。
【０００４】
そこで、この接触方式の液面検出装置に代わる液面検出装置の方式として、フロートの動きに追従するマグネットの回動に伴い磁気の変化を検出する検出素子として磁気抵抗素子などの磁気センサを用いた非接触式の液面検出装置が提案されている。（たとえば、特許文献１を参照。）
【特許文献１】特開平８−９４４１３号公報
【発明の開示】
【発明が解決しようとする課題】
【０００５】
特許文献１などによる液面検出装置においては、フロートの動きに追従するマグネットの回動に伴い、そのマグネット側の厚み方向に所定の間隔を配して磁気の変化を検出する検出素子（磁気センサ）が液面検出装置の本体フレーム側に設置されているため、液面検出装置のユニットとして全体の厚みがあるために嵩張ってしまうという問題があり、このような事態は、図示はしないが車両などの燃料タンク内に装備される液面検出装置や燃料ポンプなどを収容する上において、液面検出装置の小型化は重要な課題である。
【０００６】
また燃料タンクには、非接触式の液面検出装置の外部側に設置されている前記燃料ポンプあるいは他の電気部品などが接近して配設されていると、燃料ポンプのモータや電機部品による磁気の影響により、液面検出装置に設けられているマグネットと検出素子（磁気センサ）との間における磁界に乱れが発生し、これにより検出素子の出力に変化が生じてしまうため、結果として出力誤差として現れてしまうことがある。
【０００７】
そこで、本発明は上述した問題点に着目してなされたものであり、従来タイプに比べて非接触式の液面検出装置の小型化を実現しつつ、外部磁界の影響を極力抑えることを目的とするものである。
【課題を解決するための手段】
【０００８】
本発明では、請求項１に記載のように、合成樹脂製材料からなる本体フレームと、この本体フレームの一側面側に設けられた支軸部と、この支軸部に回動可能に支持されるホルダーと、このホルダーに取り付けられ、液面の変位に追従作動するフロートを備えたフロートアームと、前記ホルダーに配設され、前記フロートの作動に伴い回動するリング状のマグネットと、このマグネットの回動に伴い磁気の変化を検出する検出素子と、この検出素子から引き回し形成された回路基板と、この回路基板から外部側へと電気的に引き出し形成可能に設けられた通電用端子とを備えた液面検出装置であって、前記ホルダーを軸支する前記本体フレームに設けられた前記支軸部には、径小な第１の支軸部と、この第１の支軸部と同軸上にして径大な第２の支軸部とを設けるとともに、前記支軸部の一部に前記本体フレームの他側面側から凹みからなる中空状の空間部を形成し、この空間部内に前記検出素子を配設するとともに、前記回路基板を前記本体フレームの他側面側に沿って配設し、かつ前記回路基板と前記マグネットとを取り巻くように磁気シールド部材を前記本体フレームの他側面側から本体フレーム側に固定保持してなることを特徴とする液面検出装置である。
【０００９】
また、請求項１に記載の液面検出装置において、請求項２では、前記磁気シールド部材をカップ状に形成するとともに、この磁気シールド部材によって前記回路基板と前記マグネットの底部と外周面とを覆ってなることを特徴とする液面検出装置である。
【００１０】
また、請求項１または請求項２に記載の液面検出装置において、請求項３では、前記磁気シールド部材と前記本体フレーム側との間にＯリングを配設してなることを特徴とする液面検出装置である。
【００１１】
また、請求項１に記載の液面検出装置において、請求項４では、前記ホルダーには、前記本体フレームに設けられた前記径小な第１の支軸部の外周面に支持される第１のラジアル受け部と、前記本体フレームに設けられた前記径大な第２の支軸部の外周面に支持される第２のラジアル受け部と、前記第１の支軸部の先端部に突き当て配設されてホルダーのスラスト方向への移動が規制されるスラスト受け部とを設けてなることを特徴とする液面検出装置である。
【００１２】
また、請求項１または請求項４に記載の液面検出装置において、請求項５では、前記本体フレーム側には、前記ホルダーを保持するカバーを配設してなることを特徴とする液面検出装置である。
【００１３】
また、請求項１または請求項４に記載の液面検出装置において、請求項６では、前記本体フレームの第１の支軸部の先端には、前記ホルダーを抜け止め保持する係止部材を設けてなることを特徴とする液面検出装置である。
【発明の効果】
【００１４】
本発明による液面検出装置においては、合成樹脂製材料からなる本体フレームと、この本体フレームの一側面側に設けられた支軸部と、この支軸部に回動可能に支持されるホルダーと、このホルダーに取り付けられ、液面の変位に追従作動するフロートを備えたフロートアームと、前記ホルダーに配設され、前記フロートの作動に伴い回動するリング状のマグネットと、このマグネットの回動に伴い磁気の変化を検出する検出素子と、この検出素子から引き回し形成された回路基板と、この回路基板から外部側へと電気的に引き出し形成可能に設けられた通電用端子とを備えた液面検出装置であって、前記ホルダーを軸支する前記本体フレームに設けられた前記支軸部には、径小な第１の支軸部と、この第１の支軸部と同軸上にして径大な第２の支軸部とを設けるとともに、前記支軸部の一部に前記本体フレームの他側面側から凹みからなる中空状の空間部を形成し、この空間部内に前記検出素子を配設するとともに、前記回路基板を前記本体フレームの他側面側に沿って配設し、かつ前記回路基板と前記マグネットとを取り巻くように磁気シールド部材を前記本体フレームの他側面側から本体フレーム側に固定保持してなることにより、支軸部に回動可能に支持されるホルダーを径小な第１の支軸部と径大な第２の支軸部とによってそれぞれ支持することで接触領域（接触面積）を軽減することで摺接摩擦を低減することができ円滑な回転駆動を可能とすることができるとともに、軸支箇所におけるがたつきをも抑制することができる。また、合成樹脂製材料からなる本体フレームを基準として、その本体フレームの一側面側にフロート、フロートアームおよびそれを支持するホルダーを回動可能にセットすることができるとともに、本体フレームの他側面側に検出素子や回路基板を含む電気的な引き廻し構成部品を簡単にセットすることができるため、組み付け作業を良好に行うことができる。また、支軸部の一部に本体フレームの他側面側から凹みからなる中空状の空間部を形成し、この空間部内に検出素子を配設することによって軸受部材の機能に加えて検出素子の収納部を兼用することができるため、小型化が可能となる。また、マグネットを取り巻くように磁気シールド部材を配置してなることにより、非接触式であるマグネットと検出素子からなるの液面検出装置において、その液面検出装置の外部側からの磁気の影響を磁気シールド部材によって遮断することができ、マグネットと検出素子（磁気センサ）との間における磁界に悪影響を与えることがないため、検出素子の検出出力に影響を与えることがなくなるから、高信頼性および高精度の検出出力を得ることができるものであり、これにより初期の目的を達成することができる。
【発明を実施するための最良の形態】
【００１５】
本発明の請求項１に記載による液面検出装置は、合成樹脂製材料からなる本体フレームと、この本体フレームの一側面側に設けられた支軸部と、この支軸部に回動可能に支持されるホルダーと、このホルダーに取り付けられ、液面の変位に追従作動するフロートを備えたフロートアームと、前記ホルダーに配設され、前記フロートの作動に伴い回動するリング状のマグネットと、このマグネットの回動に伴い磁気の変化を検出する検出素子と、この検出素子から引き回し形成された回路基板と、この回路基板から外部側へと電気的に引き出し形成可能に設けられた通電用端子とを備えた液面検出装置であって、前記ホルダーを軸支する前記本体フレームに設けられた前記支軸部には、径小な第１の支軸部と、この第１の支軸部と同軸上にして径大な第２の支軸部とを設けるとともに、前記支軸部の一部に前記本体フレームの他側面側から凹みからなる中空状の空間部を形成し、この空間部内に前記検出素子を配設するとともに、前記回路基板を前記本体フレームの他側面側に沿って配設し、かつ前記回路基板と前記マグネットとを取り巻くように磁気シールド部材を前記本体フレームの他側面側から本体フレーム側に固定保持してなるものである。このように構成することにより、合成樹脂製材料からなる本体フレームを基準として、その本体フレームの一側面側にフロート、フロートアームおよびそれを支持するホルダーを回動可能にセットすることができるとともに、本体フレームの他側面側に検出素子や回路基板を含む電気的な引き廻し構成部品を簡単にセットすることができるため、組み付け作業を良好に行うことができる。また、支軸部の一部に本体フレームの他側面側から凹みからなる中空状の空間部を形成し、この空間部内に検出素子を配設することによって軸受部材の機能に加えて検出素子の収納部を兼用することができるため、小型化が可能となる。また、支軸部に回動可能に支持されるホルダーを径小な第１の支軸部と径大な第２の支軸部とによってそれぞれ支持することで接触領域（接触面積）を軽減することで摺接摩擦を低減することができ円滑な回転駆動を可能とすることができるとともに、軸支箇所におけるがたつきをも抑制することができる。また、液面検出装置の外部側からの磁気の影響を磁気シールド部材によって遮断することができ、マグネットと検出素子（磁気センサ）との間における磁界に悪影響を与えることがないため、検出素子の検出出力に影響を与えることがなくなるから、高信頼性および高精度の検出出力を得ることができるという効果もある。
【００１６】
また請求項２に記載の発明によれば、前記磁気シールド部材をカップ状に形成するとともに、この磁気シールド部材によって前記回路基板と前記マグネットの底部と外周面とを覆ってなることにより、液面検出装置の外部側からの磁気の影響を磁気シールド部材によって遮断することができ、マグネットと検出素子との間における磁界に悪影響を与えることがないため、高信頼性および高精度の検出出力を得ることができる。
【００１７】
また請求項３に記載の発明によれば、前記磁気シールド部材と前記本体フレーム側との間にＯリングを配設してなることにより、内部電装部品を保護することができる。
【００１８】
また請求項４に記載の発明によれば、前記ホルダーには、前記本体フレームに設けられた前記径小な第１の支軸部の外周面に支持される第１のラジアル受け部と、前記本体フレームに設けられた前記径大な第２の支軸部の外周面に支持される第２のラジアル受け部と、前記第１の支軸部の先端部に突き当て配設されてホルダーのスラスト方向への移動が規制されるスラスト受け部とを設けてなることにより、支軸部に回動可能に支持されるホルダーを径小な第１の支軸部と径大な第２の支軸部とによってそれぞれ支持することで接触領域（接触面積）を軽減することでラジアル方向の摺接摩擦を低減することができ円滑な回転駆動を可能とすることができるとともに、軸支箇所におけるがたつきをも抑制することができる。加えて、第１の支軸部の先端部に突き当て配設されてホルダーのスラスト方向への移動が規制されるスラスト受け部とを設けてなることにより、ホルダーのスラスト方向への隙間寸法を良好に設定することができるため本体フレーム側とホルダーとの接触による摩擦を軽減することができるという効果がある。
【００１９】
また請求項５に記載の発明によれば、前記本体フレーム側には、前記ホルダーを保持するカバーを配設してなることにより、ホルダーによってスラスト方向のクリアランス（移動幅）をカバーによって保つことができ、安定した状態にてホルダーを支持することができる。
【００２０】
また請求項６に記載の発明によれば、前記本体フレームの第１の支軸部の先端には、前記ホルダーを抜け止め保持する係止部材を設けてなることにより、安定した状態にてホルダーを支持することができる。
【実施例１】
【００２１】
以下、図１から図５を用いて本発明の第１実施例を説明する。本発明の液面検出装置１は、タンク２内に収容されている液体３の液量である液面３Ａ位置を検出するものである。液面検出装置１は、タンク２側に取り付けられる液面検出用本体１Ａと、この液面検出用本体１Ａに組み付けられる合成樹脂製からなる液面計ユニットの本体フレーム４と、この本体フレーム４側に回動可能に支持される合成樹脂材料からなるホルダー５と、このホルダー５に取り付けられ、液面３Ａの変位に追従作動するフロート６を備えたフロートアーム７と、前記ホルダー５に配設され、フロート６の作動に伴いホルダー５とともに回動するマグネット８と、このマグネット８の回動に伴い磁気の変化を検出し出力する、たとえばホール素子からなる磁気感応素子を用いた検出素子９と、この検出素子９を保持するとともに、検出素子９と電気的に接続する回路基板１０と、この回路基板１０から前記検出素子９によって検出した信号を液面検出装置１の外部に出力するための通電用端子１１を介して接続するように構成している。
【００２２】
また、本体フレーム４の一側面側には、ホルダー５を回動可能に支持する支軸部４Ａが設けられている。この実施例では、その支軸部４Ａには、径小な第１の支軸部４ａ１と、この第１の支軸部４ａ１と同軸上にして径大な第２の支軸部４ａ２とが設けられている。また、前記支軸部４Ａの一部には本体フレーム４の他側面側から凹みとなる中空状の空間部４Ｂが形成され、この空間部４Ｂ内にホール素子からなる磁気感応素子（検出素子）９が配設されている。また、支軸部４Ａの外周部にはホルダー５に支持されて２極着磁された環状のマグネット８が対峙して配置されている。なお、環状（リング状）のマグネット８はホルダー５の成形と同時にインサート成形などの手段によって一体的にかつ同軸的に形成されている。また、検出素子９は本実施例にのみ限定されるものではなくマグネット８の回動を磁気的に検出する手段であればよいものであり、たとえばＭＲ素子などの検出素子を用いてもよい。
【００２３】
前記回路基板１０はガラスエポキシ樹脂などからなる硬質の基板からなり、検出素子９から伸びるリードを半田によって固定するとともに、回路基板１０上には図示しない電子部品が実装されている。また、回路基板１０から外部へと引き出し配設する検出素子９によって検出した信号を液面検出装置１の外部に出力するための通電用端子１１は本体フレーム４側にモールド成形されており、通電用端子１１の端部と回路基板１０とが半田付けによって固定されている。これら検出素子９や回路基板１０あるいは通電用端子１１の一部を保護する目的で充填材１２によって覆うことにより、本体フレーム４の他側面側に形成された中空状の空間部４Ｂおよび収納凹部４Ｃによる収容空間部内に塵埃や液体３が侵入しないように水密状態を保つように構成している。
【００２４】
また充填剤１２によるシール性に加えて、リング状のマグネット８の底部と外周面を覆うように磁気シールド部材１３が設けられている。この磁気シールド部材１３としては、たとえば鉄ニッケル製の材料からなり、前記マグネット８の底部と外周面側とを覆うようにカップ状に形成されており、磁気シールド部材１３の内面側と本体フレーム４側との間にＯリング１４を配設してなることにより、内部電装部品を保護することができるようにしている。
【００２５】
またフロート６は本実施例において、ステンレスなどの腐食しにくい金属材料から形成されており、液面３Ａの変動に伴い移動するものである。なお、フロート６の材質は前記材料に限定されるものではなく、合成樹脂などで形成しても良い。
【００２６】
フロートアーム７は非磁性体である金属で形成されており、一端にフロート６を保持し、他端がホルダー５に設けられたアーム差込支持部５Ａに挿入支持されるとともに、その手前側にてフロートアーム７の軸部を支持するホルダー５に設けられたアーム係止部５Ｂによって保持されている。
【００２７】
またホルダー５の中央部には、本体フレーム４に設けられた前記径小な第１の支軸部４ａ１の外周面に支持される第１のラジアル受け部５Ｃと、前記本体フレーム４に設けられた前記径大小な第２の支軸部４ａ２の外周面に支持される第２のラジアル受け部５Ｄと、前記第１の支軸部４ａ１の先端部にてホルダー５のスラスト方向への突き当て移動を規制するスラスト受け部５Ｅとが設けられている。
【００２８】
また本体フレーム４の支軸部４Ａに回動可能に支持される合成樹脂材料からなるホルダー５の上方には、フレームカバー１５が配設され、このフレームカバー１５によってホルダー５の上端部側が抜け止め状態にて保持されている。この際、上記フレームカバー１５によってホルダー５の上部を軸支する軸受部として併設するようにしてもよいものであり、また、図示はしないが、フレームカバー１５の代わりに本体フレーム４の第１の支軸部４ａ１の先端（上端部）に、前記ホルダー５を抜け止め保持する係止部材を一体に設けるように形成しても良い。
【００２９】
次に本実施例の液面検出装置１の液面３Ａ（液量）の検出について説明する。
【００３０】
タンク２内の液面３の変位に伴いフロート６が上下動し、フロート６の移動によってフロートアーム７とともに本体フレーム４の支軸部４Ａに設けられた径小な第１の支軸部４ａ１の外周面に支持されるホルダー５の第１のラジアル受け部５Ｃと、本体フレーム４に設けられた前記径大な第２の支軸部４ａ２の外周面に支持されるホルダー５の第２のラジアル受け部５Ｄと、第１の支軸部４ａ１の先端部にてホルダー５のスラスト方向への突き当て移動を規制するスラスト受け部５Ｅとによってラジアル方向とスラスト方向とがそれぞれ良好に支持さてたホルダー５が回動する。このホルダー５の回動によりマグネット８も回動し、マグネット８の回動により、検出素子９に対向するマグネット８の磁束密度が変化し、この磁束密度の変化を検出素子９が検出し、回路基板１０から通電用端子１１を介して出力され、この出力信号に基づいて図示しない外部の機器（指示計器）に液面レベルを示す電気信号が出力され、タンク２内の液量が検出される。
【００３１】
このように、本発明の液面検出装置１にあっては、合成樹脂製からなる液面計ユニットの本体フレーム４に設けられた支軸部４Ａの一部に検出素子９を配設するとともに、支軸部４Ａの外周部に環状（リング状）からなるマグネット８を対峙して配置してなることにより、ホルダー５を回動可能に支持する支持部材の機能に加えて検出素子９の収納部（実施例においては中空状の空間部４Ｂ）を兼用することができ、これにより小型化が可能となるとともに、ホルダー５に設けたマグネット８と同一平面上にて検出素子９を設置することができるため、本体フレーム４の厚み寸法を抑えることができ、薄型でしかも小型の液面検出装置１を提供することができる。
【００３２】
また支軸部４Ａの外周部に配置されるマグネット８をリング状に形成してなることにより、ホルダー５を介して筒状からなる支軸部４Ａと同心円状にマグネット８を配設することができるため、リング状のマグネット８の回動に伴い磁気の変化を検出する検出素子９によって安定した指示特性を実現することができるものであり、ホルダー５を合成樹脂材料により形成するとともに、このホルダー５の成形時にマグネット８を一体的に成形したり、あるいはホルダー５に対して圧入して保持してなることにより、可動部側となるホルダー５とマグネット８を含む部材を一体的に簡単に形成することができるため、小型で精度の高い可動部側の部品を提供することができる。
【００３３】
また回路基板１０と磁気シールド部材１３をカップ状に形成するとともに、磁気シールド部材１３によってリング状のマグネット８の底部と外周面を覆ってなることにより、液面検出装置１の外部側からの磁気の影響を磁気シールド部材１３によって遮断することができ、マグネット８と検出素子９との間における磁界に悪影響を与えることがないため、高信頼性および高精度の検出出力を得ることができる。またマグネット８の底面と外周面とを磁気シールド部材１３によって取り巻くように覆うとともに、磁気シールド部材１３の内面側と前記本体フレーム４側との間にＯリング１４を配設してなることにより、内部電装部品を保護することが可能となる。
【００３４】
合成樹脂製材料からなる本体フレーム４を基準として、その本体フレーム４の一側面側にフロート６、フロートアーム７およびそれを支持するホルダー５を回動可能にセットすることができるとともに、本体フレーム４の他側面側に検出素子９や回路基板１０を含む電気的な引き廻し構成部品を簡単にセットすることができるため、組み付け作業を良好に行うことができる。また、支軸部４Ａに回動可能に支持されるホルダー５を径小な第１の支軸部４ａ１と径大な第２の支軸部４ａ２とによってそれぞれ支持することで接触領域（接触面積）を軽減することで摺接摩擦を低減することができ円滑な回転駆動を可能とすることができるとともに、軸支箇所におけるがたつきをも抑制することができる。
【００３５】
本体フレーム４側には、前記ホルダー５を保持するフレームカバー１５を配設してなることにより、スラスト方向のクリアランス（移動幅）をフレームカバー１５によって保つことができ、安定した状態にてホルダー５を回動可能に支持することができる。
【００３６】
なお、本発明は上述した実施例に限定されるものでなく本発明の要旨の範囲において種々の変形実施が可能である。たとえば、前述した実施例では  回路基板１０とリング状のマグネット８の底部と外周面および通電用端子１１の一部とをＯリング１４を介して磁気シールド部材１３を覆うように構成していたが、使用条件においてはＯリングを１４を取り除いて磁気シールド部材１３のみによって覆うように構成しても良いものであり、また実施例においては、タンク２側に取り付けられる液面検出用本体１Ａと、この液面検出用本体１Ａに組み付けられる合成樹脂製からなる液面計ユニットの本体フレーム４側とを別部品によって形成していたが、更なる小型軽量をねらいとして、液面検出用本体部分と液面計ユニットの本体フレーム側とを一体形成するようにしても良いものである。また環状のマグネット８はホルダー５の成形と同時にインサート成形などの手段によって一体的にかつ同軸的に形成していたが、ホルダー５に対してマグネット８を圧入により固定保持するようにしても良いものである。
【産業上の利用可能性】
【００３７】
また、前述した実施例においては、液面検出用本体部分に液面計ユニットのみを取り付け固定するタイプを例にして説明したが、液面計ユニットの本体フレームに加えて燃料ポンプユニットを液面検出用本体部分に取り付け固定タイプなどにおいても適用することができるものである。
【図面の簡単な説明】
【００３８】
【図１】本発明の液面検出装置の第１実施例を示す全体概要正面図である。
【図２】図２は、図１の液面計ユニット部分を断面で表した側面図である。
【図３】図３は、図１の液面計ユニット部分の正面図である。
【図４】図４は、図３の液面計ユニット部分のＡ−Ａ線箇所を示した断面図である。
【図５】図５は、図４の液面計ユニット部分の分解断面図である。
【符号の説明】
【００３９】
１        液面検出装置
１Ａ      液面検出用本体
２        タンク
３        液体
３Ａ      液面
４        本体フレーム
４Ａ      支軸部
４ａ１    第１の支軸部
４ａ２    第２の支軸部
４Ｂ      空間部
４Ｃ      収納凹部
５        ホルダー
５Ａ      アーム差込支持部
５Ｂ      アーム係止部
５Ｃ      第１のラジアル受け部
５Ｄ      第２のラジアル受け部
５Ｅ      スラスト受け部
６        フロート
７        フロートアーム
８        マグネット
９        検出素子
１０        回路基板
１１        通電用端子
１２        充填剤
１３        磁気シールド部材
１４        Ｏリング
１５        フレームカバー
【図１】
0004831478.tif 000002
【図２】
0004831478.tif 000003
【図３】
0004831478.tif 000004
【図４】
0004831478.tif 000005
【図５】
0004831478.tif 000006